(57)【要約】【課題】燃焼装置の燃料の反応速度を増大させ、燃料を完全燃焼に近づけることにより、排気ガス中の有害物質の削減、及び、燃料消費率（燃費）の向上を図る燃焼装置の燃焼状態改善装置を提供する。【解決手段】第１の改善装置１０は、エアクリーナ２に近い側（図２中の下側）から、ケース１１，磁気発生板１２，ケイ素１３，銅板１４，微弱エネルギテープ１５，銅板１６，微弱エネルギテープ１７，反射板１８，蓋１９が積み重ねられた構成とする。これにより、磁気発生板１２のみでは不十分であった、活性化作用を増大させることができ、排気ガス中の有害物質の削減、及び、燃費の向上を行うことができる。【選択図】　　　　　　　図２
2004003699.tif 000002
【特許請求の範囲】
【請求項１】
燃焼装置の燃焼用空気供給経路の一部及び／又は燃料供給経路の一部に接近又は接触して設けることにより、少なくとも磁力線を発生して燃焼状態を改善する燃焼状態改善装置であって、
前記磁力線を出力する磁力線発生部と、
トルマリン鉱石，ケイ素及び鉄粉を有する活性力増加部と、
を備える燃焼装置の燃焼状態改善装置。
【請求項２】
請求項１に記載の燃焼装置の燃焼状態改善装置において、
前記磁力線発生部は、発生する磁力線が略一方向に集中していること、
を特徴とする燃焼装置の燃焼状態改善装置。
【請求項３】
請求項２に記載の燃焼装置の燃焼状態改善装置において、
前記活性力増加部は、前記磁力線発生部とは異なる層であって、少なくとも２以上の異なる層により形成されていること、
を特徴とする燃焼装置の燃焼状態改善装置。
【請求項４】
請求項３に記載の燃焼装置の燃焼状態改善装置において、
前記磁力線発生部が磁力線を集中して発生する側を磁力線側としたときに、
前記活性力増加部は、銅板層と、
前記銅板層の磁力線側に塗布され、前記ケイ素と前記鉄粉とを含む塗料層と、
前記銅板層の磁力線側とは反対側に設けられ、前記トルマリン鉱石を含む微弱エネルギ層と、
を有すること、
を特徴とする燃焼装置の燃焼状態改善装置。
【請求項５】
請求項４に記載の燃焼装置の燃焼状態改善装置において、
前記活性力増加部を複数有していること、
を特徴とする燃焼装置の燃焼状態改善装置。
【請求項６】
請求項４又は請求項５に記載の燃焼装置の燃焼状態改善装置において、
前記磁力線発生部と前記活性力増加部との間に、ケイ素を含む層をさらに設けたこと、
を特徴とする燃焼装置の燃焼状態改善装置。
【請求項７】
請求項４から請求項６までのいずれか１項に記載の燃焼装置の燃焼状態改善装置において、
前記活性力増加部よりも磁力線側と反対側に、前記微弱エネルギ層から発生する微弱電磁波を反射する反射部を設けたこと、
を特徴とする燃焼装置の燃焼状態改善装置。
【請求項８】
請求項４から請求項７までのいずれか１項に記載の燃焼装置の燃焼状態改善装置において、
外周を強磁性体以外の材質により覆われていること、
を特徴とする燃焼装置の燃焼状態改善装置。
【請求項９】
請求項３に記載の燃焼装置の燃焼状態改善装置において、
前記燃焼用空気供給経路の配管部分及び／又は燃料供給経路の配管部分を両側から挟みこむ形態で接触して使用される燃焼状態改善装置であって、
前記磁力線発生部を含み、前記配管部分の一方側に設ける第１のユニットと、
前記第１のユニットから出力された磁力線を集めるユニットであって、前記第１のユニットと略対向する位置に設ける第２のユニットと、
を備える燃焼装置の燃焼状態改善装置。
【請求項１０】
請求項９に記載の燃焼装置の燃焼状態改善装置において、
前記第１のユニットは、前記磁力線発生部の前記配管側となる側に塗布され前記ケイ素と前記鉄粉とを含む塗料層を有し、
前記第２のユニットは、銅板層と、前記銅板層の前記配管側とは反対側となる側に塗布され、前記ケイ素と前記鉄粉とを含む塗料層を有していること、
を特徴とする燃焼装置の燃焼状態改善装置。
【請求項１１】
請求項９又は請求項１０に記載の燃焼装置の燃焼状態改善装置において、
前記トルマリン鉱石を含み、前記第１のユニット及び前記第２のユニットの外周から巻き付ける第３のユニットを有すること、
を特徴とする燃焼装置の燃焼状態改善装置。
【請求項１２】
請求項１１に記載の燃焼装置の燃焼状態改善装置において、
前記第３のユニットは、使用状態で外周側となる一面に金属薄膜が接合されていること、
を特徴とする燃焼装置の燃焼状態改善装置。
【請求項１３】
請求項９から請求項１２までのいずれか１項に記載の燃焼装置の燃焼状態改善装置において、
前記第１，第２，第３のユニットは、いずれも可撓性を有していること、
を特徴とする燃焼装置の燃焼状態改善装置。
【請求項１４】
請求項１から請求項１３までのいずれか１項に記載の燃焼装置の燃焼状態改善装置において、
前記トルマリン鉱石を含む層は、ラジウム鉱泉処理を行われていること、
を特徴とする燃焼装置の燃焼状態改善装置。
【発明の詳細な説明】
【０００１】
【発明の属する技術分野】
本発明は、磁力線による活性化作用を利用した燃焼装置の燃焼状態改善装置に関するものである。
【０００２】
【従来の技術】
従来から、磁力線の活性化作用に着目したこの種の装置が各種提案されている。
例えば、特開２００１−６５４１６号公報には、燃焼装置の吸気系パイプ，燃料系パイプ及びエアフィルタに活性化エレメントを配置する手法が提案されている。
【０００３】
【発明が解決しようとする課題】
しかし、単純な磁石を配置するだけでは、燃焼状態の改善の程度が低くかった。
また、磁石を普通に配置すると、互いの磁力線が干渉してしまい、必要な部分まで磁力線が到達しなかったり、燃焼状態の改善の効果がさらに薄まったりするという問題があった。
【０００４】
本発明の課題は、燃焼装置の燃料の反応速度を増大させ、燃料を完全燃焼に近づけることにより、排気ガス中の有害物質の削減、及び、燃料消費率（燃費）の向上を図る燃焼装置の燃焼状態改善装置を提供することである。
【０００５】
【課題を解決するための手段】
前記課題を解決するために、請求項１の発明は、燃焼装置の燃焼用空気供給経路（２，３）の一部及び／又は燃料供給経路（５）の一部に接近又は接触して設けることにより、少なくとも磁力線を発生して燃焼状態を改善する燃焼状態改善装置であって、前記磁力線を出力する磁力線発生部（１２，２２，３２）と、トルマリン鉱石，ケイ素及び鉄粉を有する活性力増加部（１３，１４，１４ａ，１５，１６，１６ａ，１７，１８，２２ａ，２４ａ，２６，３２ａ，３４ａ，３６）と、を備える燃焼装置の燃焼状態改善装置（１０，２０，３０）である。
【０００６】
請求項２の発明は、請求項１に記載の燃焼装置の燃焼状態改善装置において、前記磁力線発生部（１２，２２，３２）は、発生する磁力線が略一方向に集中していること、を特徴とする燃焼装置の燃焼状態改善装置（１０，２０，３０）である。
【０００７】
請求項３の発明は、請求項２に記載の燃焼装置の燃焼状態改善装置において、前記活性力増加部（１３，１４，１４ａ，１５，１６，１６ａ，１７，１８，２２ａ，２４ａ，２６，３２ａ，３４ａ，３６）は、前記磁力線発生部とは異なる層であって、少なくとも２以上の異なる層により形成されていること、を特徴とする燃焼装置の燃焼状態改善装置（１０，２０，３０）である。
【０００８】
請求項４の発明は、請求項３に記載の燃焼装置の燃焼状態改善装置において、前記磁力線発生部（１２）が磁力線を集中して発生する側を磁力線側としたときに、前記活性力増加部は、銅板層（１４，１６）と、前記銅板層の磁力線側に塗布され、前記ケイ素と前記鉄粉とを含む塗料層（１４ａ，１６ａ）と、前記銅板層の磁力線側とは反対側に設けられ、前記トルマリン鉱石を含む微弱エネルギ層（１５，１７）と、を有すること、を特徴とする燃焼装置の燃焼状態改善装置（１０）である。
【０００９】
請求項５の発明は、請求項４に記載の燃焼装置の燃焼状態改善装置において、前記活性力増加部（１４，１４ａ，１５，１６，１６ａ，１７）を複数有していること、を特徴とする燃焼装置の燃焼状態改善装置（１０）である。
【００１０】
請求項６の発明は、請求項４又は請求項５に記載の燃焼装置の燃焼状態改善装置において、前記磁力線発生部（１２）と前記活性力増加部（１４，１４ａ，１５，１６，１６ａ，１７）との間に、ケイ素を含む層（１３）をさらに設けたこと、を特徴とする燃焼装置の燃焼状態改善装置（１０）である。
【００１１】
請求項７の発明は、請求項４から請求項６までのいずれか１項に記載の燃焼装置の燃焼状態改善装置において、前記活性力増加部（１４，１４ａ，１５，１６，１６ａ，１７）よりも磁力線側と反対側に、前記微弱エネルギ層（１５，１７）から発生する微弱電磁波を反射する反射部（１８）を設けたこと、を特徴とする燃焼装置の燃焼状態改善装置（１０）である。
【００１２】
請求項８の発明は、請求項４から請求項７までのいずれか１項に記載の燃焼装置の燃焼状態改善装置において、外周を強磁性体以外の材質（１１，１９）により覆われていること、を特徴とする燃焼装置の燃焼状態改善装置（１０）である。
【００１３】
請求項９の発明は、請求項３に記載の燃焼装置の燃焼状態改善装置において、前記燃焼用空気供給経路の配管部分（３）及び／又は燃料供給経路の配管部分（５）を両側から挟みこむ形態で接触して使用される燃焼状態改善装置であって、前記磁力線発生部（２２，３２）を含み、前記配管部分の一方側に設ける第１のユニット（２１０，３１０）と、前記第１のユニットから出力された磁力線を集めるユニットであって、前記第１のユニットと略対向する位置に設ける第２のユニット（２２０，３２０）と、を備える燃焼装置の燃焼状態改善装置（２０，３０）である。
【００１４】
請求項１０の発明は、請求項９に記載の燃焼装置の燃焼状態改善装置において、前記第１のユニット（２１０，３１０）は、前記磁力線発生部の前記配管側となる側に塗布され前記ケイ素と前記鉄粉とを含む塗料層（２２ａ，３２ａ）を有し、前記第２のユニット（２２０，３２０）は、銅板層（２４，３４）と、前記銅板層の前記配管側とは反対側となる側に塗布され、前記ケイ素と前記鉄粉とを含む塗料層（２４ａ，３４ａ）を有していること、を特徴とする燃焼装置の燃焼状態改善装置（２０，３０）である。
【００１５】
請求項１１の発明は、請求項９又は請求項１０に記載の燃焼装置の燃焼状態改善装置において、前記トルマリン鉱石を含み、前記第１のユニット（２１０，３１０）及び前記第２のユニット（２２０，３２０）の外周から巻き付ける第３のユニット（２６，３６）を有すること、を特徴とする燃焼装置の燃焼状態改善装置（２０，３０）である。
【００１６】
請求項１２の発明は、請求項１１に記載の燃焼装置の燃焼状態改善装置において、前記第３のユニット（２６，３６）は、使用状態で外周側となる一面に金属薄膜が接合されていること、を特徴とする燃焼装置の燃焼状態改善装置（２０，３０）である。
【００１７】
請求項１３の発明は、請求項９から請求項１２までのいずれか１項に記載の燃焼装置の燃焼状態改善装置において、前記第１，第２，第３のユニット（２１０，３１０，２２０，３２０，２６，３６）は、いずれも可撓性を有していること、を特徴とする燃焼装置の燃焼状態改善装置（２０，３０）である。
【００１８】
請求項１４の発明は、請求項１から請求項１３までのいずれか１項に記載の燃焼装置の燃焼状態改善装置において、前記トルマリン鉱石を含む層（１５，１７，２６，３６）は、ラジウム鉱泉処理を行われていること、を特徴とする燃焼装置の燃焼状態改善装置（１０，２０，３０）である。
【００１９】
【発明の実施の形態】
以下、図面等を参照して、本発明の実施の形態について、さらに詳しく説明する。
図１は、本発明による燃焼装置の燃焼状態改善装置の実施形態の概要を示す図である。
なお、本実施形態の説明では、自動車等に使用される内燃機関を例として説明するが、本発明の燃焼装置の燃焼状態改善装置は、内燃機関に限らず、外燃機関に使用してもよいし、湯沸器，ボイラー等に使用してもよい。
本実施形態における燃焼状態改善装置は、燃焼室１，エアクリーナ２，吸気系パイプ（燃焼用空気供給経路）３，燃料タンク４，燃料系パイプ（燃料供給経路）５，消音器６等を備えた燃焼装置に対して、追加装着する装置であり、第１の改善装置１０，第２の改善装置２０，第３の改善装置３０を組み合わせて使用している。
【００２０】
第１の改善装置１０は、燃焼用空気供給経路の一部に設けられたエアクリーナ２に接近して固定される装置である。
図２は、第１の改善装置１０の断面図である。
第１の改善装置１０は、エアクリーナ２に近い側（図２中の下側）から、ケース１１と、磁気発生板１２と、ケイ素１３，銅板１４，微弱エネルギテープ１５，銅板１６，微弱エネルギテープ１７，反射板１８からなる活性力増加部と、蓋１９とが積み重ねられた構成となっている。なお、微弱エネルギテープ１５と銅板１６との間には、わずかに隙間が空いている。
ケース１１は、磁気発生板１２，ケイ素１３，銅板１４，微弱エネルギテープ１５を包む略箱状の部材であり、耐熱樹脂により形成されている。なお、ケース１１及び後述する蓋１９は、強磁性体以外の材質にすることが望ましい。
【００２１】
磁気発生板１２は、フェライト粉末を柔軟なゴム磁石成形材料とし押出し成形よる柔軟なストリップラバーでベルト状にした磁力線発生部であり、ケース１１の底面に固定されている。磁気発生板１２は、その厚み及び幅を調整することによって５０〜１００ガウスを確保させ、全面から出る電磁波の均一性を確保することとし、燃焼装置の排気量に合わせて厚み・幅を変更して、発生する磁力を決定する。また、磁気発生板１２は、ほぼ一方向に集中して磁力線を出力するように形成されており、本実施形態では、矢印Ａ方向に磁力線を出力するようになっている。
【００２２】
ケイ素１３は、磁気発生板１２のまわりに充填されて独立した層を形成しており、本実施形態では、粉体のまま充填してあるが、樹脂などにより固めて使用してもよい。
【００２３】
銅板（銅板層）１４，１６は、板厚が０．１ｍｍであり、磁気発生板１２に近い側の表面にケイ素・鉄粉入り塗料層１４ａ，１６ａが塗布されている。
ケイ素・鉄粉入り塗料層１４ａ，１６ａは、フッ素系塗料１００ｃｃに対してケイ素３０ｃｃ、鉄粉１０ｃｃの割合で混合して十分に撹拌した塗料を、銅板１４，１６の片面へ均一に塗布（厚み：０．０３〜０．１ｍｍ）後、自然乾燥した塗料層である。
【００２４】
微弱エネルギテープ（微弱エネルギ層）１５，１７は、トルマリン鉱石を微小（１〜０．５ｍｍ）に砕き、このトルマリン鉱石を２枚のネット（不図示）により挟み込み、テープ状としたものである。また、微弱エネルギテープ１５，１７は、ラジウム鉱石水（温水３６〜４２℃）に入れて乾燥させる処理（ラジウム鉱泉処理）を、２〜３回繰リ返している。ラジウム鉱泉処理を行うことにより、トルマリンよリ出る電磁波を直線的に変え、本装置の働きを促進させる。
【００２５】
反射板１８は、アルミニウム製の板であり、磁気発生板１２，微弱エネルギテープ１５，１７等から出力される電磁波を遮断し、反対方向へこれらの電磁波を反射する反射部である。
【００２６】
活性力増加部（第１の改善装置１０では、ケイ素１３，銅板１４，微弱エネルギテープ１５，銅板１６，微弱エネルギテープ１７，反射板１８からなる）は、電磁波を発生することにより、磁気発生板１２の磁力線発生機能をさらに活性化させると共に、燃焼用空気及び燃料等にも直接作用し、磁力線と共に、これらを活性化させる働きをしている。
【００２７】
蓋１９は、ケース１１と同じ材料により形成されており、銅板１６，微弱エネルギテープ１７，反射板１８は、この蓋１９に対して固定されている。
【００２８】
図３は、第２の改善装置２０の取り付け状態を示す断面図である。
第２の改善装置２０は、第１のユニット２１０と第２のユニット２２０とにより、吸気系パイプ３を両側から挟みこみ、その周りに微弱エネルギテープ２６（第３のユニット）を巻き付けた状態で使用する装置である。
第１のユニット２１０は、磁気発生板２２と、固定用接着テープ２３とを有している。
磁気発生板２２は、磁気発生板１２と同様な磁力線発生部であるが、磁力線を出力する側に、ケイ素・鉄粉入り塗料層２２ａが形成されている。このケイ素・鉄粉入り塗料層２２ａは、ケイ素・鉄粉入り塗料層１４ａ，１６ａと同様な層であり、活性力増加部として機能する。
固定用接着テープ２３は、いわゆる両面テープであり、第１のユニット２１０を吸気系パイプ３に固定するためのものである。
【００２９】
第２のユニット２２０は、銅板２４と、固定用接着テープ２５とを有し、第１のユニット２１０から発生する磁力線を第２のユニット２２０側へ集める集向板の役割を果たしている。
銅板２４は、吸気系パイプ３と反対側の面にケイ素・鉄粉入り塗料層２４ａを有し、銅板１４，１６と同様な銅板層である。
固定用接着テープ２５は、固定用接着テープ２３と同様なテープである。
なお、第１のユニット２１０と第２のユニット２２０の大きさは、同一となっている。
【００３０】
微弱エネルギテープ２６は、微弱エネルギテープ１５，１７と同様なテープであるが、微弱エネルギテープ２６の片面には、不図示のアルミニウム薄膜を接合（ラミネート）している。このアルミニウムをラミネートした側が外周側となるようにして、第１のユニット２１０及び第２のユニット２２０を包み、アルミニウムの薄膜が、反射板の役割を果たすと共に、活性力増加部として機能する第３のユニットである。
なお、微弱エネルギテープは、その外周に、固定バンド（不図示）を巻き付けて、簡単に脱落しないように装着される。
また、第１のユニット２１０，第２のユニット２２０，微弱エネルギテープ２６（第３のユニット）は、いずれも可撓性を有しており、巻き付けるパイプの径が異なっても、柔軟に対応することができる。
【００３１】
図４は、第３の改善装置３０の取り付け状態を示す断面図である。
第３の改善装置３０は、第１のユニット３１０と第２のユニット３２０とにより、燃料パイプ５を両側から挟みこみ、その周りに微弱エネルギテープ３６（第３のユニット）を巻き付けた状態で使用する装置である。
第３の改善装置３０は、巻き付ける対象が燃料パイプ５である以外は、第２の改善装置２０と同様な形態であるので、第３の改善装置３０についての詳しい説明は、省略する。
【００３２】
本実施形態によれば、磁気発生板の周りにケイ素、微弱エネルギテープなどを配置した第１の改善装置１０，第２の改善装置２０，第３の改善装置３０を設けたので、それぞれの装置により、燃料及び燃焼用空気の状態を活性化する効果を増大させることができる上、それぞれの装置を、単独で使用する場合よりも、より高い効果を発揮することができる。
【００３３】
（変形形態）
以上説明した実施形態に限定されることなく、種々の変形や変更が可能であって、それらも本発明の均等の範囲内である。
例えば、本実施形態では、第１の改善装置１０，第２の改善装置２０，第３の改善装置３０の全てを燃焼装置に取り付けた例を示したが、これに限らず、例えば、これらの中からひとつを選択して取り付けてもよいし、ひとつを取り付けないようにしてもよい。
【００３４】
また、本実施形態に示した第１の改善装置１０，第２の改善装置２０，第３の改善装置３０それぞれの具体的な層構成は、一例であって、必ずしも、これと同一にする必要はなく、例えば、第１の改善装置１０におけるケイ素１３を粉体のまま使用せずに、樹脂などにより固めた形態としてもよいし、微弱エネルギテープ１５，１７の２枚を使用せず、１枚だけとしてもよい。
【００３５】
【実施例】
ここで、上述の実施形態に示した燃焼装置の燃焼状態改善装置を使用した場合の効果について、実施例をあげて説明する。
（第１の実施例）
表１は、本装置を自動車に装着した場合の平均燃費を、装着前のものと比較した表である。
【００３６】
【表１】
2004003699.tif 000003
【００３７】
表１に示すように、ガソリン車・ディーゼル車を問わず１２車種全てにおいて、燃費の向上が図られており、本装置の燃費向上に対する有効性が確認できた。表２は、本装置を自動車に装着した場合の排気ガス中の有害物質の削減効果を示す表である。
【００３８】
【表２】
2004003699.tif 000004
【００３９】
表２に示すように、一酸化炭素（ＣＯ）濃度、炭化水素（ＨＣ）濃度共に、検出不能なまでに削減されており、本装置の有害物質の削減効果に対する有効性が確認できた。
【００４０】
（第２の実施例）
表３は、本装置をプロパンガス方式の湯沸器に装着して、水を５２℃まで温めるのに要した時間を示す表である。
【００４１】
【表３】
2004003699.tif 000005
【００４２】
表３に示すように、水温１２℃、１７℃いずれの場合であっても、装着前の７５％程度の時間で５２℃に達しており、プロパンガス方式の湯沸器においても本装置により燃焼状態が改善されていることが確認できた。
【００４３】
【発明の効果】
以上詳しく説明したように、本発明によれば、燃焼装置の燃焼用空気及び燃料を活性化することができ、燃焼装置の燃料の反応速度を増大させ、燃料を完全燃焼に近づけることにより、排気ガス中の有害物質の削減、及び、燃費の向上を行うことができる。
【図面の簡単な説明】
【図１】本発明による燃焼装置の燃焼状態改善装置の実施形態の概要を示す図である。
【図２】第１の改善装置１０の断面図である。
【図３】第２の改善装置２０の取り付け状態を示す断面図である。
【図４】第３の改善装置３０の取り付け状態を示す断面図である。
【符号の説明】
１　燃焼室
２　エアクリーナ
３　吸気系パイプ
４　燃料タンク
５　燃料系パイプ
６　消音器
１０　第１の改善装置
１１　ケース
１２　磁気発生板
１３　ケイ素
１４　銅板
１４ａ　ケイ素・鉄粉入り塗料層
１５　微弱エネルギテープ
１６　銅板
１６ａ　ケイ素・鉄粉入り塗料層
１７　微弱エネルギテープ
１８　反射板
１９　蓋
２０　第２の改善装置
２２，３２　磁気発生板
２２ａ，３２ａ　ケイ素・鉄粉入り塗料層
２３，３３　固定用接着テープ
２４，３４　銅板
２５，３５　固定用接着テープ
２６，３６　微弱エネルギテープ
３０　第３の改善装置
２１０，３１０　第１のユニット
２２０，３２０　第２のユニット
【図１】
2004003699.tif 000006
【図２】
2004003699.tif 000007
【図３】
2004003699.tif 000008
【図４】
2004003699.tif 000009